(57)【要約】【課題】  屋内、屋外等の移動式照明具としては従来白熱灯の懐中電灯が多用されている。  しかるにこれらの白熱球灯具は、球の寿命が短く、消費電力が大きいため電池の消耗が著しく、照度も不十分なものであり、更に従来の懐中電灯では、照明範囲が狭く、広い範囲での照明が得られず、蛍光灯のように、面発光の灯具が強く望まれていた。【解決手段】  透明又は半透明のアクリル樹脂等の合成樹脂、又はガラス等で形成された灯具本体の端部には、単数、又は複数のＬＥＤ灯が、反射板を介して取付けられ、  ＬＥＤ灯は、配線基板に接続され、切替えスイッチを介して、更に充電器に接続された面発光が可能なＬＥＤ灯具を提供する。【選択図】図１
2013004509.tif 000002
【特許請求の範囲】
【請求項１】
透明又は半透明のアクリル樹脂等の合成樹脂、又はガラス等で形成された灯具本体の端部には、単数、又は複数のＬＥＤ灯が、反射板を介して取付けられ、
ＬＥＤ灯は、配線基板に接続され、更に配線により切替えスイッチにつながれ、
切替えスイッチからは、更に充電器７に接続され、
充電器７の上流には配線を介して、外部電源接続ソケットに接続されており、外部電源接続ソケットには、電源ピンが差し込まれ、電源ピンの上流は配線を介して直交流変換器に接続され、その上流側は交流電源Ｓに接続されることにより、灯具本体の側面より、面発光が可能なＬＥＤ灯具。
【請求項２】
切替えスイッチは、種々の切替えが可能となるよう設定でき、ＬＥＤ灯のオン、オフの切り替え、及び／又は全光モード、又は半光モード、又は調光モード、又は赤色モード、及び／又は点滅モード、及び／又はブザー音発生モード
のいずれかの組合せ、又はすべてを切替えできることを特徴とする請求項１記載のＬＥＤ灯具。
【請求項３】
灯具本体の上部外面には反射塗料が塗布、又は接着等により設けられ、光の集中により照度が向上するよう構成されると共に、灯具本体の上部の保持ケース内には仕切り板、又は蓄光体仕切り板が設けられていることを特徴とする請求項１、又は請求項２記載のＬＥＤ灯具。
【請求項４】
片側のキャップを取外し、調節スリーブを保持ケースの一端に取付け、
レンズ保持反射板により、レンズは保持され、焦点調節機構により
レンズは移動し、焦点調整が可能となることを特徴とする請求項１、又は請求項２、又は請求項３記載のＬＥＤ灯具。
【請求項５】
電源オンの状態で、リモコン器をリモコン感知部に向けて操作すると、灯具の電源スイッチのオン、オフができ、オンの状態で状態切替えスイッチを使用状態と監視状態とに切替ることができ、
使用状態では、切替えスイッチにより、全光モード、又は半光モード、又は調光モード、及び／又は赤色モード、及び／又は点滅モード、及び／又はブザー音発生モードに切替えることができ、
監視状態では、タイマーが予めセットされた時間作動し、人感センサーが感知し始め、その状態で侵入者が感知されると、自動的に、赤色モード、及び／又は点滅モード、及び／又はブザー音発生モードとなり、侵入者の存在を示し、又侵入者に対し警告を行い、
一定の時間内に侵入者が感知されないと、リセットタイマーが作動し、再度、監視機能を繰り返すよう構成されたことを特徴とする請求項１、又は請求項２記載、又は請求項３記載、又は請求項４記載のＬＥＤ灯具。
【発明の詳細な説明】
【技術分野】
【０００１】  本発明は、暗所において移動可能なＬＥＤ灯具に関する。
【背景技術】
【０００２】  屋内、屋外等の移動式照明具としては従来白熱灯の懐中電灯が多用されている。
しかるにこれらの白熱球灯具は、球の寿命が短く、消費電力が大きいため電池の消耗が著しく、照度も不十分なものであった。
暗所における照明手段として簡便かつ十分な明るさの確保できる移動式ＬＥＤ灯具が望まれてきた。【０００３】  更に従来の懐中電灯では、照明範囲が狭く、広い範囲での照明が得られず、蛍光灯のように、面発光の灯具が強く望まれていた。
特に災害時の停電時や、照明のない所では、災害時の居場所の表示等が不十分であった。
【発明の概要】
【発明が解決しようとする課題】
【０００４】  本発明は、これらの問題を解消しようとするＬＥＤ灯具を提供するものである。
【課題を解決するための手段】
【０００５】  透明又は半透明のアクリル樹脂等の合成樹脂、又はガラス等で形成された灯具本体の端部には、単数、又は複数のＬＥＤ灯が、反射板を介して取付けられ、
ＬＥＤ灯は、配線基板に接続され、更に配線により切替えスイッチにつながれ、
切替えスイッチからは、更に充電器７に接続され、
充電器７の上流には配線を介して、外部電源接続ソケットに接続されており、外部電源接続ソケットには、電源ピンが差し込まれ、電源ピンの上流は配線を介して直交流変換器に接続され、その上流側は交流電源Ｓに接続されることにより、灯具本体の側面より、面発光が可能なＬＥＤ灯具を提供する。【０００６】  切替えスイッチは、種々の切替えが可能となるよう設定でき、ＬＥＤ灯のオン、オフの切り替え、及び／又は全光モード、又は半光モード、又は調光モード、又は赤色モード、及び／又は点滅モード、及び／又はブザー音発生モード
のいずれかの組合せ、又はすべてを切替えできることを特徴とする請求項１記載のＬＥＤ灯具を提供する。【０００７】  灯具本体の上部外面には反射塗料が塗布、又は接着等により設けられ、光の集中により照度が向上するよう構成されると共に、灯具本体の上部の保持ケース内には仕切り板、又は蓄光体仕切り板が設けられていることを特徴とする請求項１、又は請求項２記載のＬＥＤ灯具を提供する。【０００８】  片側のキャップを取外し、調節スリーブを保持ケースの一端に取付け、
レンズ保持反射板により、レンズは保持され、焦点調節機構により
レンズは移動し、焦点調整が可能となることを特徴とする請求項１、又は請求項２、又は請求項３記載のＬＥＤ灯具を提供する。【０００９】  電源オンの状態で、リモコン器をリモコン感知部に向けて操作すると、灯具の電源スイッチのオン、オフができ、オンの状態で状態切替えスイッチを使用状態と監視状態とに切替ることができ、
使用状態では、切替えスイッチにより、全光モード、又は半光モード、又は調光モード、及び／又は赤色モード、及び／又は点滅モード、及び／又はブザー音発生モードに切替えることができ、
監視状態では、タイマーが予めセットされた時間作動し、人感センサーが感知し始め、その状態で侵入者が感知されると、自動的に、赤色モード、及び／又は点滅モード、及び／又はブザー音発生モードとなり、侵入者の存在を示し、又侵入者に対し警告を行い、
一定の時間内に侵入者が感知されないと、リセットタイマーが作動し、再度、監視機能を繰り返すよう構成されたことを特徴とする請求項１、又は請求項２記載、又は請求項３記載、又は請求項４記載のＬＥＤ灯具を提供する。
【発明の効果】
【００１０】  （１）蛍光灯のように、面発光が可能である。
（２）通常の家庭用等の交流電源Ｓにより充電可能に構成されている。
（３）灯具本体１の上部外面には反射塗料１ａが塗布、又は接着等により設けられ光の        集中により照度が向上する。
（４）又、蓄光体仕切り板２９ａを使用することで、消灯時もその残光により、置き場    所を確認することができる。
（５）災害時の危険状態では、赤色の点滅により居場所の表示を行うことができる。
（６）その時にブザー音を発生すると、さらに効果的である。
（７）半光、調光モードとすれば消費電力が減り、節電状態とすることができる。
（８）片側のキャップ１６を取外し調節スリーブ３０を、焦点調節機構３４によりレン        ズ３３は、移動し、焦点調整が可能となり、光角を調整できる。
【図面の簡単な説明】
【００１１】
【図１】実施例１の全体斜視図である。
【図２】実施例１の垂直断面拡大図である。
【図３】断面Ａ−Ａの拡大断面図である。
【図４】その他のアクセサリーを示す全体斜視図である。
【図５】実施例２の拡大断面図である。
【図６】実施例３の全体斜視図である。
【図７】実施例３のブロック図である。
【発明を実施するための形態】
【００１２】  従来、懐中電灯等の移動型照明具は、蛍光灯のように広い範囲の照明が可能な面発光のＬＥＤ灯具が強く望まれていた。
本発明は、開発途上のＬＥＤ灯具において、作業時や、学習時に十分な照度を広範囲に得ることができる新規の構造を提供するものである。
しかも充電機能を有するため、移動時にも点灯し、使用しやすく簡単な構造で安価に構成できる極めて実用的な手段を提供するものである。
【００１３】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例１】
【００１４】  以下、本発明の実施例について、図面を参照しながら説明する。
図１は、本発明の実施例１の全体斜視図である。
図２は、実施例１の垂直断面拡大図である。
図３は、断面Ａ−Ａの拡大断面図である。【００１５】  図２に示すように、透明又は半透明のアクリル樹脂等の合成樹脂、又はガラス等で形成された灯具本体１の両端部には、単数、又は複数のＬＥＤ灯２が、反射板３を介して取付けられている。
ＬＥＤ灯２は、配線基板４に接続され、更に配線５は切替えスイッチ６につながれる。
切替えスイッチ６からは、更に充電器７に接続され、充電器７内で充電用電池８に接続  され、充電可能に構成されている。【００１６】  又充電器７の上流には配線９を介して、外部電源接続ソケット１０に接続されており、外部電源接続ソケット１０には、電源ピン１１が差し込まれている。
電源ピン１１の上流は配線１２を介して直交流変換器１３に接続され、その上流側は交流電源Ｓに接続され、通常の家庭用等の交流電源Ｓにより充電可能に構成されている。【００１７】  又、灯具本体１の外側には保持ケース１５が設けられ、その両端にはキャップ１６が設けられ、全体を保護している。
保持ケース１５の一部には開口１７が設けられ、それを介して切替えボタン１８が操作可能に構成され、切替えスイッチ６のモードを切替えることができる。
また切替えスイッチ６にはブザー１９が接続され回路切替えにより緊急時にブザー音が鳴るように構成されている。【００１８】  保持ケース１５の上面、及び／又は側面には、磁石２０、及び／又は面ファスナー２０ａが、少なくとも１ケ所以上設けられている。
例えば、磁石２０の構成では、図１の支持スタンド２１に設けられた鉄等の板材２２に対し、磁石２０が、接合され支持できるように構成されている。
又、面ファスナー２０ａの構成では、保持ケース１５の上面、及び／又は側面の面ファスナー２０ａと、板材２２に取付けられた面ファスナー２０ａとにより、接合され支持できるように構成されている。
支持スタンド２１には、板材２２に固定された支持梁２３が設けられ、支持梁２３は、調節クランプ２４を介して支持柱２５に回転・旋回自在に固定され、支持柱２５の下端は支持台２６に固定されている。【００１９】  又、図２、図３に示すように灯具本体１の上部外面には反射塗料１ａが塗布、又は接着等により設けられ、光の集中により照度が向上するよう構成されている。
更に、灯具本体１の上部の保持ケース１５内には仕切り板２９が設けられ、上部の機器との接触を防ぐと共に、灯具本体１の光を反射することにより照度の強化を図る機能も有している。【００２０】  更に仕切り板を、蓄光体仕切り板２９ａとし、アルミン酸ストロンチウム系等の蓄光体を併設、形成することにより、消灯時もその残光により、置き場所を確認することができる。【００２１】  切替えスイッチ６の機能について述べると、電源のオン、オフの切替えができると共に、各種のモードの切替えが可能となるよう設定できる。切り替えボタン１８を繰返し押すことで切替え可能である。【００２２】  例としてＬＥＤ灯２の全光モード、又は半光モード、又は調光モード、及び／又は赤色モード、及び／又は点滅モード、及び／又はブザー音発生モード等である。【００２３】  ＬＥＤ灯２は、光の構成が赤、青、緑の光３原色を合成して白色を得るので、赤色のみを灯すことも可能である。又は、赤色灯を単独に設けても良い。
災害時の危険状態では、赤色の点滅により居場所の表示を行うことができる。その時にブザー音を発生すると、さらに効果的である。【００２４】  照度を落として、半光、調光モードとすれば消費電力が減り、節電状態とすることができる。【００２５】  このように構成することで、例えば点検時や学習に用いると目に入射される光が少ないため、目に優しい照明ができる。【００２６】  又、灯具本体１の表面を保護するため透光性のある保護カバーを設けても良い。（図示せず。）【００２７】  又、充電機能は、最近発達してきた非接触型充電器を用いれば、電源ピン１１の接続をすることなく、更に利便性が向上するのである。【００２８】  図４には、その他のアクセサリーを示す。
作業時の視認を高めるルーペ４０を設けた実施例である。
保持ケース１５の上面に、固定バー４１が取り付けられ、固定バー４１には、旋回バー４２が回転自在に連結され、旋回バー４２の先端には固定部４３を介して、ルーペ４０が取り付けられる。このように構成すると、細かい部分が拡大されるので点検時等の利便性を高めることができる。【００２９】  その他に、保持ケース１５の上面には、旋回台４４が設けられ、磁石２０、又は面ファスナー２０ａにより、種々の場所に取付、角度調整することができる。
【実施例２】
【００３０】  図５は本発明の実施例２の拡大断面図である。
実施例１の片側のキャップ１６を取外し、調節スリーブ３０を保持ケース１５の一端に取り付ける。【００３１】  更に実施例１の灯具本体１の下面には、側面カバー３１が取付けられ光を遮断する。
レンズ保持反射板３２により、レンズ３３は保持され、焦点調節機構３４により
レンズ３３は、移動し、焦点調整が可能となり、光角を調整できる。
レンズの３３の外端部には、透光保護レンズ３５が設けられる。【００３２】  このように構成することにより、懐中電灯のごとく、使用する形態に変更することができ、焦点調節機構３４により光角を調整でき、多様性に富んだ構成とすることができる。
【実施例３】
【００３３】  図６、図７には、実施例３の構成を示す。
この実施例は、機能を拡張し、通常の使用状態と監視状態で、使用できるものである。【００３４】  図６は、全体構成の斜視図である。
保持ケース１５の側面には、リモコン感知部５１と、人感センサー５２が設けてあり、リモコン器５０により、各種の切替えが遠隔操作できる。【００３５】  図７は、その操作の機能を示すブロック図である。
リモコン器５０をリモコン感知部５１に向けて操作すると、灯具の電源スイッチのオン、オフができ、オンの状態で状態切替えスイッチを使用状態と監視状態とに切替えられる。【００３６】  使用状態では、切替えスイッチにより、全光モード、又は半光モード、又は調光モード、及び／又は赤色モード、及び／又は点滅モード、及び／又はブザー音発生モードに切替えることができる。
つぎに使用状態を終わり、監視状態に切替えると、タイマーが予めセットされた時間、例えば１０秒〜２０分の範囲で作動し、人感センサーが感知し始める。
その状態で、侵入者が感知されると、自動的に、赤色モード、及び／又は点滅モード、及び／又はブザー音発生モードとなり、侵入者の存在を示し、又侵入者に対し警告を行うのである。
一定の時間侵入者が感知されないと、リセットタイマーが作動し、再度、監視機能がセットされるのである。【００３７】  このように構成することで使用状態以外に監視機能を設けることができる。
もちろんリモコン器５０を使わずとも、切替えボタン１８によりモード等を切り替えることもできる。
【産業上の利用可能性】
【００３８】  本発明の活用例としては、以上説明したように、面発光により、広い光源となるため照明効果が大きい画期的構成を提供し、充電機能により携帯使用ができるため、作業時や学習時に有効で、又、監視機能も設けることができ、極めて実用的、かつ安価な構成を提供することにより利便性を大幅に高め、災害、盗難防止にも活用できると共に、新商品による産業の発展に貢献できる、きわめて新規かつ、実用的な発明である。
【符号の説明】
【００３９】Ｓ    交流電源
１    灯具本体
２    ＬＥＤ灯
３    反射板
４    配線基板
５、９、１２    配線
６    切替えスイッチ
７    充電器
８    充電用電池
１０  外部電源接続ソケット
１１  電源ピン
１３  直交流変換器
１５  保持ケース
１６  キャップ
１７  開口
１８  切替えボタン
１９  ブザー
２０  磁石
２０ａ  面ファスナー
２１  支持スタンド
２２  板材
２３  支持梁
２４  調節クランプ
２５  支持柱
２６  支持台
２９  仕切り板
２９ａ  蓄光体仕切り板
３０  調節スリーブ
３１  側面カバー
３２  レンズ保持反射板
３３  レンズ
３４  焦点調節機構
４０  ルーペ
４１  固定バー
４２  旋回バー
４３  固定部
４４  旋回台
５０  リモコン器
５１  リモコン感知部
５２  人感センサー
【図１】
2013004509.tif 000003
【図２】
2013004509.tif 000004
【図３】
2013004509.tif 000005
【図４】
2013004509.tif 000006
【図５】
2013004509.tif 000007
【図６】
2013004509.tif 000008
【図７】
2013004509.tif 000009